(57)【特許請求の範囲】
【請求項１】
照明光学系を介して被検眼に照明する赤外光を発生させるための第１の光源と、
前記照明光学系を介して前記被検眼に照明する可視光を発生させるための第２の光源と、
前記赤外光で照明した前記被検眼からの戻り光を撮影光学系を介して受光する受光面を有する撮像手段と、
前記第１の光源を消灯した後に、前記受光面で受光した光に基づく電荷を電子シャッタ処理によりリフレッシュする電子シャッタ制御手段と、
前記電荷をリフレッシュした後に、前記可視光を発生させるように前記第２の光源を制御する撮影光源制御手段と、
前記可視光で照明した前記被検眼からの戻り光を前記撮影光学系を介して前記受光面で受光した光に基づく電荷に基づいて、前記被検眼の静止画像を取得する取得手段と、
を有することを特徴とする眼科撮影装置。
【請求項２】
前記撮像手段の前段に設けられた先幕及び後幕と、
前記第２の光源が前記可視光を発生した後に、前記後幕を閉じる機械シャッタ制御手段と、を更に有し、
前記取得手段が、前記第１の光源を消灯する前に前記受光面で受光した光に基づく電荷に基づいて、前記先幕が開いた状態で前記被検眼の動画像を取得し、前記電子シャッタ制御手段が、前記受光面で受光した光に基づく電荷を、前記先幕を開いた状態で前記電子シャッタ処理によりリフレッシュすることを特徴とする請求項１に記載の眼科撮影装置。
【請求項３】
無散瞳モードと散瞳モードとのうちいずれか一方を選択する選択手段と、
前記選択手段により前記無散瞳モードが選択された場合、前記照明光学系を介して前記赤外光を照明した前記被検眼からの戻り光が結像した前記撮像手段からの出力信号に基づいて、前記被検眼の動画像を表示手段に表示させる表示制御手段と、を更に有し、前記機械シャッタ制御手段が、前記選択手段により前記無散瞳モードが選択された場合、前記先幕を開けることを特徴とする請求項２に記載の眼科撮影装置。
【請求項４】
光路から挿脱可能な反射部材と、
前記選択手段により前記無散瞳モードが選択された場合、前記反射部材を前記光路から外すシステム制御手段と、
を更に有することを特徴とする請求項３に記載の眼科撮影装置。
【請求項５】
前記機械シャッタ制御手段が、前記選択手段により前記散瞳モードが選択された場合、前記第１の光源を消灯した後に前記反射部材を前記光路から外し、該反射部材を該光路から外した後に前記先幕を開け、
前記電子シャッタ制御手段が、前記先幕を開いた状態で前記電子シャッタ処理によりリフレッシュすることを特徴とする請求項４に記載の眼科撮影装置。
【請求項６】
前記システム制御手段が、前記選択手段により前記散瞳モードが選択された場合、前記リフレッシュ後に前記先幕を閉じて、該先幕を閉じた後に前記反射部材を前記光路に入れることを特徴とする請求項５に記載の眼科撮影装置。
【請求項７】
前記電子シャッタ制御手段が、前記可視光を用いて前記被検眼の静止画像の取得を開始するための開始信号に応じて前記第１の光源が消灯した後に、前記開始信号に応じて前記受光面で受光した光に基づく電荷を前記電子シャッタ処理によりリフレッシュすることを特徴とする請求項１乃至６のいずれか１項に記載の眼科撮影装置。
【請求項８】
前記被検眼に指標を投影する指標投影手段を更に有し、
前記電子シャッタ制御手段が、前記開始信号に応じて前記指標投影手段の光源と前記第１の光源とを消灯した後に、前記開始信号に応じて前記受光面で受光した光に基づく電荷を前記電子シャッタ処理によりリフレッシュすることを特徴とする請求項７に記載の眼科撮影装置。
【請求項９】
前記開始信号を発生させる撮影開始スイッチを更に有し、
前記電子シャッタ制御手段が、前記開始信号を受信することを特徴とする請求項７または８に記載の眼科撮影装置。
【請求項１０】
照明光学系を介して赤外光で照明した被検眼からの戻り光を撮影光学系を介して受光する受光面を有する撮像手段と、
前記被検眼に照明する赤外光を減光した後に、前記受光面で受光した光に基づく電荷を電子シャッタ処理によりリフレッシュする電子シャッタ制御手段と、
前記電荷をリフレッシュした後に、前記照明光学系を介して可視光で照明した前記被検眼からの戻り光を前記撮影光学系を介して前記受光面で受光した光に基づく電荷に基づいて、前記被検眼の静止画像を取得する取得手段と、
を有することを特徴とする眼科撮影装置。
【請求項１１】
前記電子シャッタ処理は、先幕が閉の状態から開の状態に変更される動きの効果を達成していることを特徴とする請求項１乃至１０のいずれか１項に記載の眼科撮影装置。
【請求項１２】
照明光学系を介して被検眼に照明する赤外光を発生させるための第１の光源と、
前記照明光学系を介して前記被検眼に照明する可視光を発生させるための第２の光源と、
前記赤外光で照明した前記被検眼からの戻り光を撮影光学系を介して受光する受光面を有する撮像手段と、
前記撮像手段の前段に設けられた先幕及び後幕と、
前記第１の光源が点灯されている時に、前記先幕が開いた状態において前記受光面で受光した光に基づく電荷に基づいて前記被検眼の動画像を取得する取得手段と、
前記第１の光源を消灯した後に、前記先幕が開いたままの状態において前記受光面で受光した光に基づく電荷をリフレッシュする制御手段と、
前記電荷をリフレッシュした後に、前記可視光を発生させるように前記第２の光源を制御する撮影光源制御手段と、を有し、
前記取得手段は、前記可視光で照明した前記被検眼からの戻り光を前記撮影光学系を介して前記受光面で受光した光に基づく電荷に基づいて、前記被検眼の静止画像を取得することを特徴とする眼科撮影装置。
【請求項１３】
前記第２の光源が前記可視光を発生した後に、前記後幕を閉じる機械シャッタ制御手段を更に有することを特徴とする請求項１２に記載の眼科撮影装置。
【請求項１４】
照明光学系を介して被検眼に照明する赤外光を発生させるための第１の光源と、
前記照明光学系を介して前記被検眼に照明する可視光を発生させるための第２の光源と、
前記赤外光で照明した前記被検眼からの戻り光を撮影光学系を介して受光する受光面を有する撮像手段と、
前記可視光を用いて前記被検眼の静止画像の取得を開始するための開始信号に応じて前記第１の光源を消灯した後に、前記開始信号に応じて前記受光面で受光した光に基づく電荷をリフレッシュする制御手段と、
前記電荷をリフレッシュした後に、前記可視光を発生させるように前記第２の光源を制御する撮影光源制御手段と、
前記可視光で照明した前記被検眼からの戻り光を前記撮影光学系を介して前記受光面で受光した光に基づく電荷に基づいて、前記被検眼の静止画像を取得する取得手段と、
を有することを特徴とする眼科撮影装置。
【請求項１５】
前記被検眼に指標を投影する指標投影手段を更に有し、
前記制御手段が、前記開始信号に応じて前記指標投影手段の光源と前記第１の光源とを消灯した後に、前記開始信号に応じて前記受光面で受光した光に基づく電荷をリフレッシュすることを特徴とする請求項１４に記載の眼科撮影装置。
【請求項１６】
前記開始信号を発生させる撮影開始スイッチを更に有し、
前記制御手段が、前記撮影開始スイッチが前記開始信号を発生させた場合に前記開始信号を受信することを特徴とする請求項１４に記載の眼科撮影装置。
【請求項１７】
前記撮像手段は、前記赤外光で照明した前記被検眼の動画像を取得するための撮像素子と、前記可視光で照明した前記被検眼の静止画像を取得するための撮像素子とを兼用することを特徴とする請求項１乃至１６のいずれか１項に記載の眼科撮影装置。
【請求項１８】
被検眼に照明する照明光学系と、前記照明光学系により赤外光と可視光とのいずれか一方で照明した前記被検眼を撮影する撮影光学系とを備える眼底カメラ本体に着脱可能なカメラであって、
前記撮影光学系を介して前記被検眼からの戻り光を受光する受光面を有する撮像手段と、
前記照明光学系を介して前記被検眼に照明する前記赤外光を発生させるための第１の光源を消灯した後に、前記受光面で受光した光に基づく電荷を電子シャッタ処理によりリフレッシュする電子シャッタ制御手段と、
前記照明光学系を介して前記被検眼に照明する可視光を発生させるための第２の光源により発生された前記可視光で照明した前記被検眼からの戻り光を前記撮影光学系を介して前記受光面で受光した光に基づく電荷に基づいて、前記被検眼の静止画像を取得する取得手段と、
を有することを特徴とするカメラ。
【請求項１９】
前記撮像手段の前段に設けられた先幕及び後幕と、
前記第２の光源が前記可視光を発生した後に、前記後幕を閉じる機械シャッタ制御手段と、を更に有し、
前記取得手段が、前記第１の光源を消灯する前に前記受光面で受光した光に基づく電荷に基づいて、前記先幕が開いた状態で前記被検眼の動画像を取得し、
前記電子シャッタ制御手段が、前記受光面で受光した光に基づく電荷を、前記先幕を開いた状態で前記電子シャッタ処理によりリフレッシュすることを特徴とする請求項１８に記載のカメラ。
【請求項２０】
被検眼に照明する照明光学系と、前記照明光学系により赤外光と可視光とのいずれか一方で照明した前記被検眼を撮影する撮影光学系とを備える眼底カメラ本体に着脱可能なカメラであって、
前記撮影光学系を介して前記被検眼からの戻り光を受光する受光面を有する撮像手段と、
前記照明光学系を介して前記被検眼に照明する前記赤外光を減光した後に、前記受光面で受光した光に基づく電荷を電子シャッタ処理によりリフレッシュする電子シャッタ制御手段と、
前記照明光学系を介して可視光で照明した前記被検眼からの戻り光を前記撮影光学系を介して前記受光面で受光した光に基づく電荷に基づいて、前記被検眼の静止画像を取得する取得手段と、
を有することを特徴とするカメラ。
【請求項２１】
照明光学系を介して被検眼に照明する赤外光を発生させるための第１の光源を消灯した後に、赤外光で照明した被検眼からの戻り光を撮影光学系を介して受光する受光面を有する撮像手段で受光した光に基づく電荷を電子シャッタ処理によりリフレッシュする工程と、
前記電荷をリフレッシュした後に、前記照明光学系を介して前記被検眼に照明する可視光を発生させるための第２の光源を制御する工程と、
前記可視光で照明した前記被検眼からの戻り光を前記撮影光学系を介して前記受光面で受光した光に基づく電荷に基づいて、前記被検眼の静止画像を取得する工程と、
を有することを特徴とする眼科撮影装置の制御方法。
【請求項２２】
前記第２の光源が前記可視光を発生した後に、前記撮像手段の前段に設けられた後幕を閉じる工程と、
前記第１の光源を消灯する前に前記受光面で受光した光に基づく電荷に基づいて、前記撮像手段の前段に設けられた先幕が開いた状態で前記被検眼の動画像を取得する工程と、を更に有し、
前記リフレッシュする工程において、前記受光面で受光した光に基づく電荷を、前記先幕を開いた状態で前記電子シャッタ処理によりリフレッシュすることを特徴とする請求項２１に記載の眼科撮影装置の制御方法。
【請求項２３】
前記リフレッシュする工程において、前記可視光を用いて前記被検眼の静止画像の取得を開始するための開始信号に応じて前記第１の光源が消灯した後に、前記開始信号に応じて前記受光面で受光した光に基づく電荷を前記電子シャッタ処理によりリフレッシュすることを特徴とする請求項２１または２２に記載の眼科撮影装置の制御方法。
【請求項２４】
前記リフレッシュする工程において、前記開始信号に応じて前記被検眼に指標を投影する指標投影手段の光源と前記第１の光源とを消灯した後に、前記開始信号に応じて前記受光面で受光した光に基づく電荷を前記電子シャッタ処理によりリフレッシュすることを特徴とする請求項２３に記載の眼科撮影装置の制御方法。
【請求項２５】
被検眼に照明する赤外光を減光した後に、照明光学系を介して赤外光で照明した被検眼からの戻り光を撮影光学系を介して受光する受光面を有する撮像手段で受光した光に基づく電荷を電子シャッタ処理によりリフレッシュする工程と、
前記電荷をリフレッシュした後に、前記照明光学系を介して可視光で照明した前記被検眼からの戻り光を前記撮影光学系を介して前記受光面で受光した光に基づく電荷に基づいて、前記被検眼の静止画像を取得する工程と、
を有することを特徴とする眼科撮影装置の制御方法。
【請求項２６】
照明光学系を介して被検眼に照明する赤外光を発生させるための第１の光源と、前記照明光学系を介して前記被検眼に照明する可視光を発生させるための第２の光源と、前記赤外光で照明した前記被検眼からの戻り光を撮影光学系を介して受光する受光面を有する撮像手段と、前記撮像手段の前段に設けられた先幕及び後幕と、を有する眼科撮影装置の制御方法であって、
前記第１の光源が点灯されている時に、前記先幕が開いた状態において前記受光面で受光した光に基づく電荷に基づいて前記被検眼の動画像を取得する工程と、
前記第１の光源を消灯した後に、前記先幕が開いたままの状態において前記受光面で受光した光に基づく電荷をリフレッシュする工程と、
前記電荷をリフレッシュした後に、前記可視光を発生させるように前記第２の光源を制御する工程と、
前記取得手段は、前記可視光で照明した前記被検眼からの戻り光を前記撮影光学系を介して前記受光面で受光した光に基づく電荷に基づいて、前記被検眼の静止画像を取得する工程と、
を有することを特徴とする眼科撮影装置の制御方法。
【請求項２７】
照明光学系を介して被検眼に照明する赤外光を発生させるための第１の光源と、前記照明光学系を介して前記被検眼に照明する可視光を発生させるための第２の光源と、前記赤外光で照明した前記被検眼からの戻り光を撮影光学系を介して受光する受光面を有する撮像手段と、を有することを特徴とする眼科撮影装置の制御方法であって、
前記可視光を用いて前記被検眼の静止画像の取得を開始するための開始信号に応じて前記第１の光源を消灯した後に、前記開始信号に応じて前記受光面で受光した光に基づく電荷をリフレッシュする工程と、
前記電荷をリフレッシュした後に、前記可視光を発生させるように前記第２の光源を制御する工程と、
前記可視光で照明した前記被検眼からの戻り光を前記撮影光学系を介して前記受光面で受光した光に基づく電荷に基づいて、前記被検眼の静止画像を取得する工程と、
を有することを特徴とする眼科撮影装置の制御方法。
【請求項２８】
請求項２１乃至２７のいずれか１項に記載の眼科撮影装置の制御方法の各工程をコンピュータに実行させることを特徴とするプログラム。
【発明の詳細な説明】
【技術分野】
【０００１】
本発明は、例えば眼科医院や集団健診等で用いられ、被検眼を動画観察し、該被検眼の静止画像を取得する眼科撮影装置、眼底カメラ本体に着脱可能なカメラ、及び眼科撮影装置の制御方法に関するものである。
【背景技術】
【０００２】
眼科撮影装置として、被検眼の眼底撮影を行う眼底カメラが広く知られている。眼底カメラには、観察時に被検眼が眩しさを感じない近赤外光を用い、静止画を撮影する瞬間に、可視光で眼底を照明して眼底撮影を行う無散瞳型眼底カメラがよく用いられている。
【０００３】
この無散瞳型眼底カメラでは、眼底カメラ内に観察と撮影が可能なセンサを内蔵することで、装置の小型化を実現している。更に、撮影スイッチの操作からの画像取得までの時間を短縮しながら、反射率が異なる被検眼に対する頻繁な観察光量の煩わしい操作の改善を行った眼底カメラが、特許文献１に開示されている。
【０００４】
また、被検眼に散瞳剤を点眼し、観察・撮影時に共に可視光を用いて精密な眼底検査及び眼底撮影を行う散瞳型眼底カメラもよく用いられている。
【０００５】
この散瞳型眼底カメラと、先の無散瞳型眼底カメラとを一体化させることで、多機能化を実現している散瞳・無散瞳一体型眼底カメラが知られている。更に、散瞳・無散瞳の機能の切換手段により、散瞳時は可視観察、無散瞳時は赤外観察に切換える眼底カメラが特許文献２に開示されている。
【０００６】
そして、近年ではデジタル化が容易なことから、眼底カメラの撮影用カメラに、一般に使われるデジタルカメラが多く用いられるようになってきている。特に、一眼レフタイプのデジタルカメラが用いられるのは、眼底カメラからのリモート撮影が可能であることに加え、今までのフィルムタイプのカメラとの互換性が良く、解像度も眼科用の診断画像として十分なためである。更に、一般に使われるデジタルカメラであるので、高解像度化する最新機能のセンサが内蔵されることが多い。
【０００７】
最近では、この一眼レフタイプのデジタルカメラのセンサを静止画記録だけではなく、動画観察や動画記録の用途に用いるライブビュー機能が追加されている。一般的に、ライブビュー機能はファインダを覗かなくとも撮影できるので、撮影アングルの自由度が大きくなるという利点がある。近年の眼底カメラでは、アライメントやピント合わせを行う観察用時に、このライブビュー機能を用いたものも提案されている。
【先行技術文献】
【特許文献】
【０００８】
【特許文献１】特開平９−３０８６１０号公報
【特許文献２】特開平９−６６０３０号公報
【発明の概要】
【発明が解決しようとする課題】
【０００９】
しかしながら特許文献１では、眼底カメラ内に観察と撮影が可能なセンサを内蔵することになるため、一般に使われるデジタルカメラは使用されていない。
【００１０】
また、特許文献２の眼底カメラでは、無散瞳時の観察を行うためのＣＣＤ及びその観察光学系が構成されており、観察用の撮像素子と撮影用の撮像素子を構成する必要がある。これらの課題を解決するために、近年では無散瞳時の観察を行うためのＣＣＤ及びその観察光学系を、一般に使われるデジタルカメラとライブビュー機能を用いることで、解決する方法が考えられている。
【００１１】
ところが無散瞳眼底カメラでは、観察時に被検眼に眩しさを感じさせない近赤外光を用い、静止画を撮影する瞬間に可視光で眼底を照明して眼底撮影を行うように構成されている。このため、撮影時の可視光照明のタイミング信号が必要になり、そのタイミング信号は一般に使われるデジタルカメラのシャッタ幕のＸ接点信号である開放信号を用いている。そして、ライブビュー機能の使用中は、シャッタ幕が開放状態になっているため、上記のタイミング信号を必要とする場合には、撮影の瞬間にシャッタ幕を開放状態から一旦は閉じた状態に戻さなければならない。
【００１２】
従って、一般に使われるデジタルカメラのライブビュー機能を用いて、被検眼の観察と撮影を行う場合に、検者が撮影開始操作をしてから実際に撮影が実行されるまでに時間を要することになる。そのため、撮影の瞬間に被検眼の固視位置が動いたり瞬きが発生することで、撮影の失敗を招く可能性がある。
【００１３】
本発明の目的は、上述の問題点を解消し、ライブビュー機能を備えた無散瞳型又は散瞳・無散瞳一体型の眼科撮影装置、眼底カメラ本体に着脱可能なカメラ、及び眼科撮影装置の制御方法を提供することにある。
【課題を解決するための手段】
【００１４】
上記目的を達成するための本発明に係る眼科撮影装置は、
照明光学系を介して被検眼に照明する赤外光を発生させるための第１の光源と、
前記照明光学系を介して前記被検眼に照明する可視光を発生させるための第２の光源と、
前記赤外光で照明した前記被検眼からの戻り光を撮影光学系を介して受光する受光面を有する撮像手段と、
前記第１の光源を消灯した後に、前記受光面で受光した光に基づく電荷を電子シャッタ処理によりリフレッシュする電子シャッタ制御手段と、
前記電荷をリフレッシュした後に、前記可視光を発生させるように前記第２の光源を制御する撮影光源制御手段と、
前記可視光で照明した前記被検眼からの戻り光を前記撮影光学系を介して前記受光面で受光した光に基づく電荷に基づいて、前記被検眼の静止画像を取得する取得手段と、を有する。
また、上記目的を達成するための本発明に係る眼底カメラ本体に着脱可能なカメラは、
被検眼に照明する照明光学系と、前記照明光学系により赤外光と可視光とのいずれか一方で照明した前記被検眼を撮影する撮影光学系とを備える眼底カメラ本体に着脱可能なカメラであって、
前記撮影光学系を介して前記被検眼からの戻り光を受光する受光面を有する撮像手段と、
前記照明光学系を介して前記被検眼に照明する前記赤外光を発生させるための第１の光源を消灯した後に、前記受光面で受光した光に基づく電荷を電子シャッタ処理によりリフレッシュする電子シャッタ制御手段と、
前記照明光学系を介して前記被検眼に照明する可視光を発生させるための第２の光源により発生された前記可視光で照明した前記被検眼からの戻り光を前記撮影光学系を介して前記受光面で受光した光に基づく電荷に基づいて、前記被検眼の静止画像を取得する取得手段と、を有する。
また、上記目的を達成するための本発明に係る眼科撮影装置の制御方法は、
照明光学系を介して被検眼に照明する赤外光を発生させるための第１の光源を消灯した後に、赤外光で照明した被検眼からの戻り光を撮影光学系を介して受光する受光面を有する撮像手段で受光した光に基づく電荷を電子シャッタ処理によりリフレッシュする工程と、
前記電荷をリフレッシュした後に、前記照明光学系を介して前記被検眼に照明する可視光を発生させるための第２の光源を制御する工程と、
前記可視光で照明した前記被検眼からの戻り光を前記撮影光学系を介して前記受光面で受光した光に基づく電荷に基づいて、前記被検眼の静止画像を取得する工程と、を有する。
【発明の効果】
【００１５】
本発明に係る眼科撮影装置、眼底カメラ本体に着脱可能なカメラ、及び眼科撮影装置の制御方法は、ライブビュー機能を用いた観察を行い、撮影時に電子シャッタ制御を用いた撮影制御を行うことにより、検者が撮影開始操作をしてから実際に撮影が実行されるまでの時間を短くすることができる。従って、撮影の瞬間に被検眼の固視位置が動いたり瞬きが発生することを低減することができるので、撮影の失敗が少なくなる。
【００１６】
更に、ライブビュー機能を観察に用いているので、被検眼の静止画像を取得するためのセンサの他に、観察を行うためのＣＣＤなどの専用センサや観察光学系を構成する必要がなく、装置を小型化できる。
【図面の簡単な説明】
【００１７】
【図１】実施例１の無散瞳型の眼底カメラの構成図である。
【図２】実施例１の観察状態の説明図である。
【図３】実施例１の撮影時のフローチャート図である。
【図４】実施例１の撮影カメラのタイミングチャート図である。
【図５】実施例２の無散瞳モードの構成図である。
【図６】実施例２の散瞳モードの構成図である。
【発明を実施するための形態】
【００１８】
本発明を図示の実施例に基づいて詳細に説明する。
【実施例１】
【００１９】
図１は眼科撮影装置として実施例１の眼底カメラの構成図を示している。この眼底カメラは無散瞳型の眼底カメラであり、眼底カメラの後方に撮影カメラＣが取り付けられている。眼底カメラの眼底照明光学系Ｏ１である観察用光源１から、被検眼Ｅに対向する対物レンズ２に至る光路上には、コンデンサレンズ３、撮影用光源４、ミラー５、リング状の開口を有する絞り６、リレーレンズ７、孔あきミラー８が順次に配列されている。
【００２０】
孔あきミラー８の透過方向の眼底撮影光学系Ｏ２の光路上には、合焦レンズ９、撮影レンズ１０、跳ね上げミラー１１、撮影カメラＣが配列されている。ここで、観察用光源１は赤外光を射出するＬＥＤ光源であり、跳ね上げミラー１１は赤外光を透過し、可視光を反射する機能を有している。また、跳ね上げミラー１１の反射方向には、被検眼Ｅの固視を誘導するためのＬＥＤ等の発光部材を整列して配置した内部固視灯１２が配置されている。
【００２１】
一方、孔あきミラー８の前面には、図示は省略しているが、アライメント指標のＬＥＤ光源と、その光束を導くライトガイドの出射端が配置されており、被検眼Ｅの角膜面にアライメント指標を投影するアライメント用指標投影系が設けられている。同様に、図示は省略しているが、眼底照明光学系Ｏ１の光路内には、被検眼Ｅの眼底Ｅｒにフォーカス指標を投影するフォーカス用指標投影系が設けられている。
【００２２】
背景技術でも述べたように、本実施例の撮影カメラＣは、一眼レフタイプのデジタルカメラであり、上述した眼底カメラに付設され、更に取り外し可能な構成とされている。眼底撮影光学系Ｏ２の撮影カメラＣ内の光路の延長上には、跳ね上げミラー２１、露光状態を制御するためのシャッタ幕２２の先幕２２ａ及び後幕２２ｂ、撮像素子２３が配列されている。
【００２３】
また、撮影カメラＣ内では、撮像素子２３の出力は動画像生成部２４を介してＬＣＤ等から成る動画観察モニタ２５に接続され、更に撮影カメラＣの制御を行う撮影カメラ制御部２６に接続されている。また、撮影カメラ制御部２６の出力は電子シャッタ制御を行う電子シャッタ制御部２７を介して撮像素子２３、ミラー２１、シャッタ幕２２に接続されている。
【００２４】
また、眼底カメラには眼底カメラ全体の制御を行うシステム制御部３１が内蔵され、システム制御部３１は撮影カメラＣの撮影カメラ制御部２６と接続されている。システム制御部３１の出力は跳ね上げミラー１１に接続され、また撮影光源制御部３２を介して撮影用光源４に接続されている。また、システム制御部３１には撮影開始スイッチを備え、被検眼Ｅの静止画撮影を実行する入力部３３の出力が接続されている。
【００２５】
アライメント時には、観察用光源１を出射した赤外光は、コンデンサレンズ３、撮影用光源４を経てミラー５で反射される。ミラー５での反射光は、絞り６、リレーレンズ７を通り、孔あきミラー８の周辺で反射し、対物レンズ２、被検眼Ｅの瞳Ｅｐを通り眼底Ｅｒを照明する。そして、眼底Ｅｒでの赤外反射光は、瞳Ｅｐ、対物レンズ２、孔あきミラー８の孔を通り、合焦レンズ９、撮影レンズ１０、赤外光を透過する跳ね上げミラー１１を透過し、撮影カメラＣの撮像素子２３上に結像する。
【００２６】
このように、観察用光源１から出射した赤外光は、眼底Ｅｒで反射されて眼底像として撮像素子２３上に結像し、動画観察モニタ２５上で動画として観察ができる。撮影カメラＣにおけるこの観察状態はライブビュー状態そのものである。
【００２７】
一方、図示しないアライメント用指標投影系及びフォーカス用指標投影系から発せられた光束は、それぞれ被検眼Ｅの眼底Ｅｒと角膜面で反射され、撮像素子２３上に結像する。図２に示す動画観察モニタ２５上で、眼底Ｅｒの観察像Ｅｒ’と共に、アライメント指標ＷＤ１、ＷＤ２及びフォーカス指標ＳＰが表示され、観察可能となっている。検者はこのアライメント指標ＷＤ１、ＷＤ２がアライメント範囲Ｍに入り、２つのフォーカス指標ＳＰが横に一直線となるように、被検眼Ｅと眼底カメラの位置合わせを行うと共に、眼底Ｅｒに対するフォーカス合わせを行う。
【００２８】
このとき、眼底Ｅｒからの反射像と、アライメント指標ＷＤ１、ＷＤ２、フォーカス指標ＳＰを撮像素子２３上に導光するために、撮影カメラＣの跳ね上げミラー２１は眼底撮影光学系Ｏ２の光路から退避している。また、先幕２２ａと後幕２２ｂの機械シャッタ制御手段は開放状態とされている。この制御により、撮影カメラＣの動画観察モニタ２５を用いて、被検眼Ｅのアライメントを行うことが可能である。また、撮影カメラＣにおけるこの制御によりライブビュー機能を達成している。
【００２９】
ここで、撮影カメラＣのライブビュー機能を使用しない状態では、跳ね上げミラー２１は眼底撮影光学系Ｏ２の光路中に挿入されている。また、先幕２２ａは遮光状態となっているため、眼底Ｅｒからの反射像と、アライメント指標ＷＤ１、ＷＤ２やフォーカス指標ＳＰを撮像素子２３上に導光することができない。
【００３０】
図３（ａ）は静止画撮影時の動作のフローチャート図である。検者は被検眼Ｅのアライメントの終了後に、入力部３３の撮影開始スイッチを押す。この開始信号によりシステム制御部３１は、ステップＳ１の処理を行い撮影制御を開始する。ステップＳ２で、システム制御部３１は撮影用光源４からの可視光を撮像素子２３に導光するために、跳ね上げミラー１１を眼底撮影光学系Ｏ２から退避する。更に、静止画撮影時に不必要な光が写り込まないようにするため、観察用光源１、内部固視灯１２、アライメント指標ＷＤ１、ＷＤ２、フォーカス指標ＳＰの消灯を行う。
【００３１】
ステップＳ２のこの撮影準備制御が終了すると、システム制御部３１はステップＳ３で、撮影カメラＣに対する撮影開始制御を実行する。撮影カメラＣではステップＳ３に応じて、図３（ｂ）の撮影カメラＣでのステップＳ１１の撮影開始処理が実行されるが、この撮影カメラＣの制御は後述する。
【００３２】
ステップＳ３の処理終了後に実行される眼底カメラでのステップＳ４の処理もシステム制御部３１で実行され、電子シャッタ制御の終了時間が経過するまでこの処理を繰り返す。つまり、撮影カメラＣの内部で行われる電子シャッタ制御が終了されるまでの待機処理である。次に、ステップＳ４の待機処理が終了すると、システム制御部３１ではステップＳ５として、撮影光源制御部３２に発光命令を出力し、撮影用光源４を発光させる。
【００３３】
このようにして、撮影用光源４から発せられた可視光は、眼底照明光学系Ｏ１を通過した後に、被検眼Ｅの眼底Ｅｒで反射され、眼底反射像は眼底撮影光学系Ｏ２を通って撮像素子２３に結像する。最後に、ステップＳ６ではステップＳ２で行った撮影準備制御とは逆工程の撮影終了制御を実行する。
【００３４】
図３（ｂ）のフローチャート図では、眼底カメラのステップＳ３の処理から、撮影カメラ制御部２６への切換えによって、ステップＳ１１の撮影開始処理が実行される。ステップＳ１１の処理に続いて、ステップＳ１２で撮影カメラ制御部２６による撮影のための設定変更処理等が行われる。撮影カメラ制御部２６は撮影準備処理であるステップＳ１２の処理の終了後に、ステップＳ１３で電子シャッタ制御部２７に対して、電子シャッタ制御を実行させる。その後に、撮影カメラ制御部２６はステップＳ１４でシャッタ制御処理を実行し撮影制御を終了する。
【００３５】
このように、眼底カメラと撮影カメラＣのそれぞれの撮影制御において、ステップＳ５
で実行される撮影用光源４の発光制御が、ステップＳ１３の電子シャッタ制御とステップ
Ｓ１４のシャッタ制御の間で行われる。
【００３６】
図４は撮影カメラＣにおける撮影制御の様子のタイミングチャート図である。図中の開の表記は光路を遮断していない状態を表し、閉の表記は光路を遮断している状態を表している。また、跳ね上げミラー２１、先幕２２ａ、後幕２２ｂの動作を示しており、各ステップＳは図３（ａ）、（ｂ）のフローチャート図で説明した処理が行われる工程を示している。
【００３７】
縦の点線で示している電子シャッタ制御は、ステップＳ１の撮影開始の後に、ステップＳ１３のタイミングで実行され、シャッタ制御はステップＳ１４のタイミングで実行されており、ステップＳ５の発光制御はステップＳ１３とＳ１４の間で実行される。
【００３８】
このように、電子シャッタ制御の直前までに撮像素子２３に受光された光は、ステップＳ１３の電子シャッタ制御でリフレッシュされ、ステップＳ１４のシャッタ制御終了後に静止画として記録される。つまり、ステップＳ５によって撮影用光源４から発光された眼底Ｅｒの反射像のみが、撮像素子２３に蓄積され、静止画として記録可能となる。
【００３９】
図４（ａ）のように、ステップＳ１〜Ｓ１４が実行されるまで、跳ね上げミラー２１、先幕２２ａ、後幕２２ｂは全て開の状態となっている。即ち、特長的な第１動画観察手段で説明したライブビュー機能を使用したまま、ステップＳ５で発光制御を行うことである。この制御が本実施例の特長的な制御であることは、次の図４（ｂ）と比較すると明らかである。
【００４０】
図４（ｂ）はライブビュー機能を使用していない場合における撮影制御のタイミングチャート図である。図４（ａ）との違いは、ステップＳ１〜Ｓ１４が実行されるまでの間に、跳ね上げミラー２１、先幕２２ａが、それぞれ閉の状態から開の状態になっていることである。通常では、撮影カメラＣのシャッタ幕２２の開放信号であるＸ接点信号は、先幕２２ａが閉の状態から開の状態になった状態で出力され、このＸ接点信号に同期してステップＳ５で発光制御が行われる。
【００４１】
このように、図４（ｂ）で行われる先幕２２ａが閉の状態から開の状態にする制御を、図４（ａ）ではステップＳ１３の電子シャッタ制御で代用している。つまり、先幕２２ａが閉の状態から開の状態とする動きを、ステップＳ１３の電子シャッタ制御によって達成していることになる。従って、電子シャッタ制御の直前までに撮像素子２３に受光された光は、ステップＳ１３の実行後にリフレッシュされ、ステップＳ５で撮影用光源４から発光された眼底Ｅｒの反射光のみが撮像素子２３に蓄積され、静止画として記録される。
【００４２】
また、図４（ａ）中に記載の処理Ｈは、第１動画観察手段で説明したライブビュー機能を使用した状態から、図４（ｂ）で説明した先幕２２ａを用いた撮影制御を行う場合に、追加される処理である。しかし、この処理Ｈは図４（ａ）で明らかなように不要な処理である。また、この先幕２２ａの処理Ｈによっては、ステップＳ１〜Ｓ５までの時間を要する場合もあり、この時間によって、被検眼Ｅの固視位置が動いたり瞬きが発生する可能性もある。
【００４３】
このように、処理Ｈを行わないことで、撮影開始操作をしてから実際に撮影が実行されるまでの時間を最小限にし、撮影の瞬間に被検眼Ｅの固視位置が動いたり瞬きが発生することを防ぐことができ、撮影の失敗を防止している。
【００４４】
実施例１における眼底カメラは無散瞳型の眼底カメラであり、被検眼Ｅが眩しさを感じない近赤外光を用いて、撮影カメラＣの動画観察モニタ２５で観察している。従って、観察に十分な画像が得られると共に、被検眼Ｅに掛かる負荷を少なくできる。このように、無散瞳型の眼底カメラの特長を維持すると共に、撮影カメラＣのような一般に使われるデジタルカメラを用いることができる。更に、そのライブビュー機能を観察に用いているので、観察を行うためのＣＣＤなどの専用センサにより観察光学系を構成する必要がなく、装置を簡略化することが可能となる。
【実施例２】
【００４５】
図５は実施例２における散瞳型と無散瞳型の眼底カメラを一体化した散瞳・無散瞳一体型眼底カメラの構成図であり、実施例１と同じ符号の部材は同じ符号で示している。実施例１の図１に対し、眼底照明光学系Ｏ１内のコンデンサレンズ３と撮影用光源４の間に、赤外カットフィルタ４１、可視カットフィルタ４２が追加され、内部固視灯１２の光路内に挿脱可能な反射ミラー４３、直視ファインダ４４が設けられている。
【００４６】
赤外カットフィルタ４１と可視カットフィルタ４２は、択一的に光路内挿脱に可能とされている。また、反射ミラー４３は跳ね上げミラー１１と内部固視灯１２の間に設けられ、検者が可視光により被検眼Ｅのファインダ観察が可能な直視ファインダ４４に導光可能となっている。
【００４７】
入力部３３’は実施例１と機能的に異なっており、撮影開始スイッチに加えて、散瞳モードと無散瞳モードとの観察状態切換えのための散瞳・無散瞳選択スイッチが設けられている。また、観察用光源１については、実施例１では赤外光を射出するＬＥＤとしたが、本実施例２では可視光を出射するハロゲンランプとされている。
【００４８】
この実施例２では、最初に入力部３３’に設けられた散瞳・無散瞳選択スイッチを操作し、散瞳モードと無散瞳モードの切換え選択を行う。挿脱可能な反射ミラー４３は、跳ね上げミラー１１の反射方向の光路から離脱されており、可視カットフィルタ４２が眼底照明光学系Ｏ１に挿入されている。
【００４９】
観察用光源１を出射した可視光は、コンデンサレンズ３を通り、可視カットフィルタ４２によって赤外光のみが透過される。可視カットフィルタ４２を透過した赤外光は、撮影用光源４を通り、ミラー５で反射される。以下、撮像素子２３上に結像するまでは、実施例１と同様である。
【００５０】
従って、観察用光源１から出射した可視光は赤外光のみとなって、眼底Ｅｒで反射された後に撮像素子２３上に結像し、動画観察モニタ２５上に動画による眼底像Ｅｒ’として観察でき、実施例１と同様にアライメントを行うことができる。ここで、挿脱可能な反射ミラー４３は、跳ね上げミラー１１の反射方向の光路から離脱し、内部固視灯１２からの光を被検眼Ｅに導光しながら、直視ファインダ４４により観察可能となる。
【００５１】
また、撮影制御は実施例１と同様の制御であり、その効果も同様である。つまり、無散瞳モードでは動画観察モニタ２５による第１動画観察手段による観察を行い、静止画撮影時には電子シャッタ制御部２７による電子シャッタ処理を行うようになっている。
【００５２】
散瞳モードを選択すると、図６に示すように挿脱可能な反射ミラー４３は、跳ね上げミラー１１の反射方向の光路に挿入され、赤外カットフィルタ４１は眼底照明光学系Ｏ１に挿入される。観察用光源１を出射した可視光はコンデンサレンズ３を通り、赤外カットフィルタ４１によって赤外光成分がカットされ透過される。
【００５３】
眼底Ｅｒの眼底像は対物レンズ２、合焦レンズ９、撮影レンズ１０を経て跳ね上げミラー１１に戻るが、跳ね上げミラー１１は可視光を反射するため、眼底像反射ミラー４３の方向に反射され、直視ファインダ４４による第２動画観察手段によって観察できる。このように、実施例１と異なり可視光を用いた検者により直視観察を行い、被検眼Ｅのアライメントを行うことが可能である。
【００５４】
また、撮影制御は実施例１で説明した図４（ｂ）の制御と同様になる。この場合の撮影
制御については、撮影カメラＣを用いた一般的な撮影方法である。つまり、散瞳モードで
は直視ファインダ４４で観察を行い、撮影時には先幕２２ａを用いた撮影制御を行う。
【００５５】
このように実施例２における制御は、散瞳モードと無散瞳モードの選択に応じて、無散瞳モードでは動画観察モニタ２５で観察し、電子シャッタ処理を用いた撮影制御を行い、散瞳モードでは直視ファインダ４４で観察し、先幕２２ａを用いた撮影制御を行う。
【００５６】
実施例２の眼底カメラは、実施例１で説明した無散瞳型の眼底カメラと同様の制御を無散瞳モードで行うことにより、実施例１と同様に観察を行うためのＣＣＤなどの専用センサ、観察光学系を必要とせず、装置を簡略化することができる。特に実施例２のように、散瞳モードと無散瞳モードの両方の機能を有する装置は一般に複雑化が免れないため、その効果は大きい。更に、実施例１と同様に、撮影開始操作をしてから実際に撮影が実行されるまでの時間を最小限にし、撮影の瞬間に被検眼の固視位置が動いたり瞬きが発生することを防ぐことが可能となり、撮影の失敗を防止できる。
【符号の説明】
【００５７】
Ｃ  撮影カメラ
２２ａ  先幕
２２ｂ  後幕
２３  撮像素子
２５  動画観察モニタ
２６  撮影カメラ制御部
２７  電子シャッタ制御部
３１  システム制御部
【図１】
0005669109.tif 000002
【図２】
0005669109.tif 000003
【図３】
0005669109.tif 000004
【図４】
0005669109.tif 000005
【図５】
0005669109.tif 000006
【図６】
0005669109.tif 000007